(57)【要約】【課題】バーナで発生する異常音の抑制効果を高めた燃焼装置を提供する。【解決手段】燃焼制御部６１は、給湯バーナ３１が燃焼している状態で暖房バーナ４１の点火処理を行う際には、給湯バーナ３１及び暖房バーナ４１の目標燃焼量に対応したガス流量変更弁５１の目標開度を、所定増分だけ増加させて、ガス流量変更弁５１の開度を目標開度に制御する。燃焼制御部６１は、給湯バーナ３１が燃焼している状態で暖房バーナ４１の点火処理を行う際に、給湯バーナ３１の燃焼面における燃焼範囲の割合が所定割合以上であるときの前記所定増分を、前記割合が前記所定割合未満であるときよりも少なくする。【選択図】  図１
2018146160.tif 000002
【特許請求の範囲】
【請求項１】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
前記缶体内に配置された第２バーナと、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記ガス供給路から前記第２バーナへの燃料ガスの供給と遮断とを切り替える開閉弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記目標燃焼範囲に設定して前記ガス流量変更弁を前記目標開度に制御し、前記第１バーナが燃焼している状態で、開閉弁を開弁して前記第２バーナの点火処理を行う際には、前記目標開度を所定増分だけ増加させる燃焼制御部と
を備えている燃焼装置であって、
前記燃焼制御部は、前記第１バーナが燃焼している状態で、前記開閉弁を開弁して前記第２バーナの点火処理を行う際に、前記第１燃焼面における燃焼範囲の割合が所定割合以上であるときの前記所定増分を、前記第１燃焼面における燃焼範囲の割合が該所定割合未満であるときの前記所定増分よりも少なくすることを特徴とする燃焼装置。
【請求項２】
請求項１に記載の燃焼装置において、
前記燃焼制御部は、前記第１バーナが燃焼している状態で、前記開閉弁を開弁して前記第２バーナの点火処理を行う際に、前記第１燃焼面における燃焼範囲の割合が大きいほど、前記所定増分を少なくすることを特徴とする燃焼装置。
【請求項３】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
前記缶体内に配置された第２バーナと、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記ガス供給路から前記第２バーナへの燃料ガスの供給と遮断とを切り替える開閉弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記目標燃焼範囲に設定して前記ガス流量変更弁を前記目標開度に制御し、前記第１バーナが燃焼している状態で、開閉弁を開弁して前記第２バーナの点火処理を行う際には、前記目標回転速度を所定減分だけ減少させる燃焼制御部と
を備えている燃焼装置であって、
前記燃焼制御部は、前記第１バーナが燃焼している状態で、前記開閉弁を開弁して前記第２バーナの点火処理を行う際に、前記第１燃焼面における燃焼範囲の割合が所定割合以上であるときの前記所定減分を、前記第１燃焼面における燃焼範囲の割合が該所定割合未満であるときの前記所定減分よりも少なくすることを特徴とする燃焼装置。
【請求項４】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標開度を所定増分だけ増加させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が所定割合以上であるときの前記所定増分を、前記第１燃焼面における燃焼範囲の割合が該所定割合未満であるときの前記所定増分よりも少なくすることを特徴とする燃焼装置。
【請求項５】
請求項４に記載の燃焼装置において、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が大きいほど、前記所定増分を少なくすることを特徴とする燃焼装置。
【請求項６】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標回転速度を所定減分だけ減少させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が所定割合以上であるときの前記所定減分を、前記第１燃焼面における燃焼範囲の割合が該所定割合未満であるときの前記所定減分よりも少なくすることを特徴とする燃焼装置。
【請求項７】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標開度を所定増分だけ増加させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面と前記第２燃焼面を合わせた総燃焼面における燃焼範囲の割合が大きいほど、前記所定増分を少なくすることを特徴とする燃焼装置。
【請求項８】
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標回転速度を所定減分だけ減少させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面と前記第２燃焼面を合わせた総燃焼面における燃焼範囲の割合が大きいほど、前記所定減分を少なくすることを特徴とする燃焼装置。
【発明の詳細な説明】
【技術分野】
【０００１】
本発明は、複数のバーナを備えた燃焼装置に関する。
【背景技術】
【０００２】
従来、複数のバーナを備えて、各バーナの燃焼排ガスを一つの排気通路を介して行う燃焼装置において、各バーナから発生する異常音を抑制するための制御を行う構成が提案されている（例えば、特許文献１，２参照）。
【０００３】
特許文献１には、給湯用バーナと暖房用バーナを共に全面燃焼状態とする際に、暖房用バーナへの燃料ガスの供給流量を一定時間絞って部分燃焼状態とすることにより、異常音の発生を防止する構成が記載されている。
【０００４】
特許文献２には、給湯用バーナと暖房用バーナとのうちのいずれか一方のみが燃焼中であるときに、他方についても燃焼指示があったときには、燃焼中のバーナの燃焼量を下げて、ファン回転速度を下げた状態で他方のバーナに点火することにより、異常音の発生を防止する構成が記載されている。
【先行技術文献】
【特許文献】
【０００５】
【特許文献１】特開２００１−９９４２１号公報
【特許文献２】特開２０００−２２０８２２号公報
【発明の概要】
【発明が解決しようとする課題】
【０００６】
特許文献１に記載された構成により、暖房側バーナを半開状態としても異常音が発生する場合があり、また、特許文献２に記載された構成により、既に燃焼中のバーナの燃焼量を下げても異常音が発生する場合がある。
【０００７】
本発明はかかる背景に鑑みてなされたものであり、バーナで発生する異常音の抑制効果を高めた燃焼装置を提供することを目的とする。
【課題を解決するための手段】
【０００８】
本発明の燃焼装置の第１の態様は、
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
前記缶体内に配置された第２バーナと、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記ガス供給路から前記第２バーナへの燃料ガスの供給と遮断とを切り替える開閉弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記目標燃焼範囲に設定して前記ガス流量変更弁を前記目標開度に制御し、前記第１バーナが燃焼している状態で、前記開閉弁を開弁して前記第２バーナの点火処理を行う際には、前記目標開度を所定増分だけ増加させる燃焼制御部と
を備えている燃焼装置であって、
前記燃焼制御部は、前記第１バーナが燃焼している状態で、前記開閉弁を開弁して前記第２バーナの点火処理を行う際に、前記第１燃焼面における燃焼範囲の割合が所定割合以上であるときの前記所定増分を、前記第１燃焼面における燃焼範囲の割合が該所定割合未満であるときの前記所定増分よりも少なくすることを特徴とする。
【０００９】
かかる本発明において、燃焼制御部は、第１バーナ及び第２バーナを燃焼させるときに、第１バーナ及び第２バーナの目標燃焼量に対応した給排気ファンの目標回転速度と第１燃焼面における目標燃焼範囲とガス流量変更弁の目標開度とを決定して、給排気ファンを目標回転速度に制御すると共に、第１燃焼面における燃焼範囲を目標燃焼範囲に設定してガス流量変更弁を目標開度に制御する。そして、燃焼制御部は、第１バーナが燃焼している状態で、開閉弁を開弁して第２バーナの点火処理を行う際に、前記目標開度を所定増分だけ増加させ、これにより点火を安定的に行うようにしている。
【００１０】
しかしながら、このように、ガス流量変更弁の目標開度を所定増分だけ増加させる（ガスリッチ状態にする）と、点火処理中に第２バーナから異常音（共鳴音）が生じ易くなり、所定増分を多くするほど（ガスリッチの度合を大きくするほど）異常音が生じる可能性が高くなる。また、缶体内に配置された第１バーナ及び第２バーナの特性として、第１燃焼面における燃焼範囲の割合が大きいほど、第２バーナ側の内圧が高くなって第２バーナへの燃焼用空気の供給が妨げられるため、ガス流量変更弁を目標開度に設定しても第２バーナはある程度はガスリッチ状態となる。
【００１１】
そこで、燃焼制御部は、第１バーナが燃焼している状態で、開閉弁を開弁して第２バーナの点火処理を行う際に、第１燃焼面における燃焼範囲の割合が所定割合以上であるときのガス流量変更弁の開度の所定増分を、第１燃焼面における燃焼範囲の割合が所定割合未満であるときの所定増分よりも少なくする。そして、これにより、第２バーナの点火処理を実行する際の第２バーナにおけるガスリッチ度が過剰になって、第２バーナから異常音が生じることを抑制することができる。
【００１２】
また、本発明の燃焼装置の第１の態様において、前記燃焼制御部は、前記第１バーナが燃焼している状態で、前記開閉弁を開弁して前記第２バーナの点火処理を行う際に、前記第１燃焼面における燃焼範囲の割合が大きいほど、前記所定増分を少なくすることを特徴とする。
【００１３】
この構成によれば、第１バーナの燃焼による缶体内の第２バーナ側の内圧の上昇の程度に応じて、第２バーナ側のガスリッチ度をより適切に設定して、第２バーナからの異常音の発生を抑制することができる。
【００１４】
次に、本発明の燃焼装置の第２の態様は、
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
前記缶体内に配置された第２バーナと、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記ガス供給路から前記第２バーナへの燃料ガスの供給と遮断とを切り替える開閉弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記目標燃焼範囲に設定して前記ガス流量変更弁を前記目標開度に制御し、前記第１バーナが燃焼している状態で、開閉弁を開弁して前記第２バーナの点火処理を行う際には、前記目標回転速度を所定減分だけ減少させる燃焼制御部と
を備えている燃焼装置であって、
前記燃焼制御部は、前記第１バーナが燃焼している状態で、前記開閉弁を開弁して前記第２バーナの点火処理を行う際に、前記第１燃焼面における燃焼範囲の割合が所定割合以上であるときの前記所定減分を、前記第１燃焼面における燃焼範囲の割合が該所定割合未満であるときの前記所定減分よりも少なくすることを特徴とする。
【００１５】
かかる発明において、燃焼制御部は、第１バーナが燃焼している状態で、開閉弁を開弁して第２バーナの点火処理を行う際に、第１燃焼面における燃焼範囲の割合が所定割合以上であるときの給排気ファンの目標回転速度の所定減分を、第１燃焼面における燃焼範囲の割合が所定割合未満であるときの所定減分よりも少なくする。これにより、第２バーナの点火処理を実行する際の第２バーナにおけるガスリッチ度が過剰になって、第２バーナから異常音が生じることを抑制することができる。
【００１６】
次に、本発明の燃焼装置の第３の態様は、複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標開度を所定増分だけ増加させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が所定割合以上であるときの前記所定増分を、前記第１燃焼面における燃焼範囲の割合が該所定割合未満であるときの前記所定増分よりも少なくすることを特徴とする。
【００１７】
かかる本発明によれば、燃焼制御部は、第１バーナ及び第２バーナを燃焼させるときに、第１バーナ及び第２バーナの目標燃焼量に対応した給排気ファンの目標回転速度と第１燃焼面における第１目標燃焼範囲と第２燃焼面における第２目標燃焼範囲とガス流量変更弁の目標開度とを決定して、給排気ファンを目標回転速度に制御すると共に、第１燃焼範囲設定部により第１燃焼面における燃焼範囲を第１目標燃焼範囲に設定し、第２燃焼範囲設定部により第２燃焼面における燃焼範囲を第２目標燃焼範囲に設定して、ガス流量変更弁を目標開度に制御する。そして、燃焼制御部は、第１バーナと第２バーナが燃焼している状態で、第２バーナの燃焼範囲の拡大（火移り）を伴う目標燃焼量の変更を行う際に、ガス流量変更弁の目標開度を所定増分だけ増加させ、これにより火移りを安定的に行うようにしている。
【００１８】
しかしながら、このように、ガス流量変更弁の目標開度を所定増分だけ増加させる（ガスリッチ状態にする）と、火移りの実行中に第２バーナから異常音（共鳴音）が生じ易くなり、所定増分を多くするほど（ガスリッチの度合を大きくするほど）異常音が生じる可能性が高くなる。また、缶体内に配置された第１バーナ及び第２バーナの特性として、第１燃焼面における燃焼範囲の割合が大きいほど、第２バーナ側の内圧が高くなって第２バーナへの燃焼用空気の供給が妨げられるため、ガス流量変更弁を目標開度に設定しても第２バーナはある程度はガスリッチ状態となる。
【００１９】
そこで、燃焼制御部は、第１バーナ及び第２バーナが燃焼している状態で、第２燃焼面における燃焼範囲の拡大を伴う目標燃焼量の変更を行う際に、第１燃焼面における燃焼範囲の割合が所定割合以上であるときのガス流量変更弁の開度の所定増分を、第１燃焼面における燃焼範囲の割合が所定割合未満であるときの所定増分よりも少なくする。そして、これにより、第２バーナの火移り処理を実行する際の第２バーナにおけるガスリッチ度が過剰になって、第２バーナから異常音が生じることを抑制することができる。
【００２０】
また、本発明の燃焼装置の第３の態様において、前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が大きいほど、前記所定増分を少なくすることを特徴とする。
【００２１】
この構成によれば、第１バーナの燃焼による第２バーナ側の缶体内の圧力の上昇に応じて、第２バーナ側のガスリッチ度をより適切に設定して、第２バーナからの異常音の発生を抑制することができる。
【００２２】
次に、本発明の燃焼装置の第４の態様は、
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標回転速度を所定減分だけ減少させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面における燃焼範囲の割合が所定割合以上であるときの前記所定減分を、前記第１燃焼面における燃焼範囲の割合が該所定割合未満であるときの前記所定減分よりも少なくすることを特徴とする。
【００２３】
かかる発明において、燃焼制御部は、第１バーナ及び第２バーナが燃焼している状態で、第２燃焼面における燃焼範囲の拡大を伴う目標燃焼量の変更を行う際に、第１燃焼面における燃焼範囲の割合が所定割合以上であるときの給排気ファンの目標回転速度の所定減分を、第１燃焼面における燃焼範囲の割合が所定割合未満であるときの所定減分よりも少なくする。これにより、第２バーナの火移り処理を実行する際の第２バーナにおけるガスリッチ度が過剰になって、第２バーナから異常音が生じることを抑制することができる。
【００２４】
次に、本発明の燃焼装置の第５の態様は、
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標開度を所定増分だけ増加させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面と前記第２燃焼面を合わせた総燃焼面における燃焼範囲の割合が大きいほど、前記所定増分を少なくすることを特徴とする。
【００２５】
かかる発明において、燃焼制御部は、第１バーナと第２バーナが燃焼している状態で第２燃焼面における燃焼範囲の拡大を伴う目標燃焼量の変更を行う際に、第１燃焼面と第２燃焼面を合わせた総燃焼面における燃焼範囲の割合が大きいほど、所定増分を少なくする。これにより、第１バーナの燃焼による第２バーナ側の缶体内の圧力の上昇に応じて、第２バーナ側のガスリッチ度をより適切に設定して、第２バーナからの異常音の発生を抑制することができる。
【００２６】
次に、本発明の燃焼装置の第６の態様は、
複数の第１バーナブロックにより第１燃焼面が形成されて、缶体内に配置された第１バーナと、
燃焼させる前記第１バーナブロックの組合せを変更することにより、前記第１燃焼面における燃焼範囲を設定する第１燃焼範囲設定部と、
複数の第２バーナブロックにより第２燃焼面が形成されて、前記缶体内に配置された第２バーナと、
燃焼させる前記第２バーナブロックの組合せを変更することにより、前記第２燃焼面における燃焼範囲を設定する第２燃焼範囲設定部と、
前記第１バーナ及び前記第２バーナに燃料ガスを供給するガス供給路と、
前記ガス供給路の開度を変更して前記第１バーナ及び前記第２バーナに供給される燃料ガスの流量を変更するガス流量変更弁と、
前記第１バーナ及び前記第２バーナに燃焼用空気を供給すると共に、前記第１バーナ及び前記第２バーナの燃焼排ガスを排気通路に送出する給排気ファンと、
前記第１バーナ及び前記第２バーナを燃焼させるときに、前記第１バーナ及び前記第２バーナの目標燃焼量に対応した前記給排気ファンの目標回転速度と前記第１燃焼面における第１目標燃焼範囲と前記第２燃焼面における第２目標燃焼範囲と前記ガス流量変更弁の目標開度とを決定して、前記給排気ファンを前記目標回転速度に制御すると共に、前記第１燃焼範囲設定部により前記第１燃焼面における燃焼範囲を前記第１目標燃焼範囲に設定し、前記第２燃焼範囲設定部により前記第２燃焼面における燃焼範囲を前記第２目標燃焼範囲に設定して、前記ガス流量変更弁を前記目標開度に制御し、前記第１バーナ及び前記第２バーナが燃焼している状態で前記第２燃焼面における燃焼範囲の拡大を伴う前記目標燃焼量の変更を行う際には、前記目標回転速度を所定減分だけ減少させる燃焼制御部と
を備えている燃焼装置であって、
前記燃焼制御部は、前記第１バーナ及び前記第２バーナが燃焼している状態で前記第２燃焼面における燃焼範囲の拡大を伴う前記目標燃焼量の変更を行う際に、前記第１燃焼面と前記第２燃焼面を合わせた総燃焼面における燃焼範囲の割合が大きいほど、前記所定減分を少なくすることを特徴とする。
【００２７】
かかる発明において、燃焼制御部は、第１バーナと第２バーナが燃焼している状態で第２燃焼面における燃焼範囲の拡大を伴う目標燃焼量の変更を行う際に、第１燃焼面と第２燃焼面を合わせた総燃焼面における燃焼範囲の割合が大きいほど、所定減分を少なくする。これにより、第１バーナの燃焼による第２バーナ側の缶体内の圧力の上昇に応じて、第２バーナ側のガスリッチ度をより適切に設定して、第２バーナからの異常音の発生を抑制することができる。
【図面の簡単な説明】
【００２８】
【図１】熱源装置（燃焼装置）の構成図。
【図２】点火対応処理のフローチャート。
【図３】給湯バーナが燃焼している状態で、暖房バーナの点火処理を行う場合の説明図。図３Ａは給湯バーナが全面燃焼している状態で、暖房バーナに点火する場合を示し、図３Ｂは給湯バーナが部分燃焼している状態で、暖房バーナに点火する場合を示している。
【図４】火移り対応処理のフローチャート。
【図５】給湯バーナ及び暖房バーナが燃焼している状態で、暖房バーナ側の火移り処理を行う場合の説明図。図５Ａ，図５Ｂは、給湯バーナが全面燃焼している状態で暖房バーナの燃焼範囲を拡大する場合を示し、図５Ｃ，図５Ｄは、給湯バーナが部分燃焼している状態で暖房バーナの燃焼範囲を拡大する場合を示している。
【図６】給湯バーナ及び暖房バーナが燃焼している状態で、給湯バーナ側の火移り処理を行う場合の説明図。図６Ａ，図６Ｂ，図６Ｃはいずれも、暖房バーナが全面燃焼している状態で、給湯バーナの燃焼範囲を拡大する場合を示している。
【発明を実施するための形態】
【００２９】
本発明の実施形態について、図１〜図６を参照して説明する。
【００３０】
［１．熱源装置の構成］
図１を参照して、本実施形態の熱源装置１（本発明の燃焼装置に相当する）は、給水管３５から供給される水を加熱して給湯管３６から出湯する給湯機能と、暖房往き管４５及び暖房戻り管４６を経由して図示しない暖房端末（床暖房機、温風暖房機等）に温水を循環供給する暖房機能とを有する複合タイプの熱源装置である。
【００３１】
熱源装置１は、筐体１０内に燃焼室を形成する缶体２０を備えて構成されている。缶体２０内には、給水管３５及び給湯管３６に接続されて内部を流通する水を加熱する給湯熱交換器３０と、暖房往き管４５及び暖房戻り管４６に接続されて内部を流通する湯水を加熱する暖房熱交換器４０とが備えられている。
【００３２】
給湯熱交換器３０の下方に給湯バーナ３１（本発明の第１バーナに相当する）が設けられ、暖房熱交換器４０の下方に暖房バーナ４１（本発明の第２バーナに相当する）が設けられている。暖房バーナ４１の最大燃焼量（例えば、１４ｋＷ）は、給湯バーナ３１の最大燃焼量（例えば、３０ｋＷ）よりも小さく設定されている。
【００３３】
給湯熱交換器３０は、給湯バーナ３１の燃焼排ガスから主に顕熱を吸熱する給湯主熱交換器３０ａと、給湯バーナ３１の燃焼排ガスから主に潜熱を吸熱する給湯副熱交換器３０ｂとにより構成されている。また、暖房熱交換器４０は、暖房バーナ４１の燃焼排ガスから主に顕熱を吸熱する暖房主熱交換器４０ａと、暖房バーナ４１の燃焼排ガスから主に潜熱を吸熱する暖房副熱交換器４０ｂとにより構成されている。
【００３４】
給湯バーナ３１及び暖房バーナ４１はガス供給路５５に接続され、ガス供給路５５から給湯バーナ３１及び暖房バーナ４１に燃料ガスが供給される。
【００３５】
給湯バーナ３１は、大バーナ３１ａと中バーナ３１ｂと小バーナ３１ｃとにより構成されている。大バーナ３１ａは９本の単位バーナを有し、中バーナ３１ｂは５本の単位バーナを有し、小バーナ３１ｃは３本の単位バーナを有している。大バーナ３１ａ、中バーナ３１ｂ、及び小バーナ３１ｃにより、給湯バーナ３１の燃焼面（第１燃焼面）が形成され、大バーナ３１ａ、中バーナ３１ｂ、及び小バーナ３１ｃのうち、燃焼させるバーナの組み合わせにより、給湯バーナ３１の燃焼面における燃焼範囲が変更される。大バーナ３１ａ、中バーナ３１ｂ、及び小バーナ３１ｃは、本発明の第１バーナブロックに相当する。
【００３６】
暖房バーナ４１は、大バーナ４１ａと小バーナ４１ｂとにより構成されている。大バーナ４１ａは３本の単位バーナを有し、小バーナ４１ｂは２個の単位バーナを有している。大バーナ４１ａと小バーナ４１ｂとにより暖房バーナ４１の燃焼面（第２燃焼面）が形成され、大バーナ４１ａと小バーナ４１ｂのうち、燃焼させるバーナの組み合わせにより、暖房バーナ４１の燃焼面における燃焼範囲が変更される。大バーナ４１ａと小バーナ４１ｂは、本発明の第２バーナブロックに相当する。
【００３７】
熱源装置１は、大バーナ３１ａへの燃料ガスの供給と遮断とを切替える給湯ガス電磁弁３２、中バーナ３１ｂへの燃料ガスの供給と遮断とを切替える給湯ガス電磁弁３３、小バーナ３１ｃへの燃料ガスの供給と遮断とを切替える給湯ガス電磁弁３４、大バーナ４１ａへの燃料ガスの供給と遮断とを切替える暖房ガス電磁弁４２（本発明の開閉弁に相当する）、小バーナ４１ｂへの燃料ガスの供給と遮断とを切替える暖房ガス電磁弁４３、給湯バーナ３１と暖房バーナ４１への燃料ガスの供給と遮断とを切替える元ガス電磁弁５２、給湯バーナ３１と暖房バーナ４１への燃料ガスの供給流量を調節するガス流量変更弁５１、給湯バーナ３１と暖房バーナ４１に燃焼用空気を供給すると共に、燃焼排ガスを缶体２０の上部に接続された集合排気管１１（本発明の排気通路に相当する）に送出する給排気ファン５０、及び暖房循環路（暖房往き管４５、暖房戻り管４６）内の湯水を循環させる循環ポンプ４８を備えている。
【００３８】
給湯ガス電磁弁３２，３３，３４により本発明の第１燃焼範囲設定部が構成され、暖房ガス電磁弁４２，４３により本発明の第２燃焼範囲設定部が構成される。
【００３９】
給湯バーナ３１と暖房バーナ４１の燃焼排ガスは、集合排気管１１を経由して屋外に排出される。また、筐体１０の上部には給気管１３が接続されている。給排気ファン５０の作動により、給気管１３を介して屋外から流入する空気と、筐体１０の開口部を介して屋内から流入する空気とが、燃焼用空気として給湯バーナ３１及び暖房バーナ４１に供給される。
【００４０】
この構成により、熱源装置１は強制排気型（ＦＥ：Forced Exhaust 型）となっている。集合排気管１１の入口部には、ＣＯ濃度を検出するＣＯセンサ１２が設けられている。また、給湯管３６には給湯管３６から出湯される湯の温度を検出する給湯温度センサ３７が設けられ、暖房往き管４５には、暖房往き管４５から図示しない暖房端末に供給される温水の温度を検出する暖房温度センサ４７が設けられている。
【００４１】
さらに、熱源装置１には、熱源装置１の全体的な作動を制御するコントローラ６０と、熱源装置１を遠隔操作するためのリモコン７０とが備えられている。コントローラ６０は、図示しないＣＰＵ（Central Processing Unit）、メモリ、入出力インターフェース等により構成された電子回路ユニットである。コントローラ６０は、メモリに保持された熱源装置１の制御用プログラムをＣＰＵで実行することにより、燃焼制御部６１として機能する。
【００４２】
コントローラ６０には、給湯温度センサ３７及び暖房温度センサ４７の温度検出信号と、ＣＯセンサ１２のＣＯ濃度検出信号が入力される。また、コントローラ６０から出力される制御信号によって、給湯ガス電磁弁３２，３３，３４、暖房ガス電磁弁４２，４３、元ガス電磁弁５２、ガス流量変更弁５１、給排気ファン５０、及び循環ポンプ４８の作動が制御される。
【００４３】
燃焼制御部６１は、給湯管３６から供給される湯の温度が設定温度（リモコン７０により設定される）となるように、元ガス電磁弁５２、給湯ガス電磁弁３２，３３，３４、ガス流量変更弁５１の作動を制御して、給湯バーナ３１への燃料ガスの供給流量を調節すると共に、給排気ファン５０の回転速度を制御して給湯バーナ３１への燃焼用空気の供給流量を調節して、給湯バーナ３１の燃焼量を制御する給湯運転を実行する。
【００４４】
また、燃焼制御部６１は、暖房往き管４５から所定温度及び流量の温水が供給されるように、元ガス電磁弁５２、暖房ガス電磁弁４２，４３、ガス流量変更弁５１の作動を制御して、暖房バーナ４１への燃料ガスの供給流量を調節すると共に、給排気ファン５０の回転速度を制御して暖房バーナ４１への燃焼用空気の供給流量を調節して、暖房バーナ４１の燃焼量を制御し、また、循環ポンプ４８の作動を制御する暖房運転を実行する。
【００４５】
「２．点火対応処理」
次に、図２に示したフローチャートに従って、燃焼制御部６１により実行される暖房バーナ４１の点火時に生じ得る異常音（共鳴音）を抑制するための処理（点火対応処理）について説明する。
【００４６】
燃焼制御部６１は、図２のＳＴＥＰ１で暖房バーナ４１の点火条件が成立したか否かを判断する。ここで、暖房バーナ４１の点火条件としては、使用者がリモコン７０により暖房開始の操作を行ったこと、使用者が設定した暖房予約時刻になったこと等が設定されている。
【００４７】
ＳＴＥＰ１で暖房バーナ４１の点火条件が成立したときにＳＴＥＰ２に進み、燃焼制御部６１は、給湯バーナ３１が燃焼状態であるか否かを判断する。そして、給湯バーナ３１が燃焼状態でなかったときにはＳＴＥＰ１０に分岐し、燃焼制御部６１は暖房バーナ４１の点火処理を行って、暖房バーナ４１の単独燃焼を開始する。暖房バーナ４１の点火処理は、暖房バーナ４１の燃焼面付近に設けられた点火電極（図示しない）に火花放電を生じさせると共に、暖房ガス電磁弁４２を開弁することによって行われる。
【００４８】
一方、ＳＴＥＰ２で給湯バーナ３１が燃焼状態であるときにはＳＴＥＰ３に進み、燃焼制御部６１は、目標燃焼量（給湯バーナ３１の目標燃焼量及び暖房バーナ４１の目標燃焼量（ここでは暖房バーナ４１の点火用の目標燃焼量））に対応した、給排気ファン５０の目標回転速度Ｖｃとガス流量変更弁５１の目標開度Ｐｃを決定して、ＳＴＥＰ４に処理を進める。
【００４９】
ＳＴＥＰ４で、燃焼制御部６１は、給湯バーナ３１が全面燃焼状態（大バーナ３１ａと中バーナ３１ｂと小バーナ３１ｃとが、全て燃焼状態）であるか否かを判断する。ここで、全面燃焼状態は、給湯バーナ３１の燃焼面における燃焼範囲の割合が１００％となっている状態であり、１００％は本発明の所定割合に相当する。なお、この所定割合は、燃焼装置の構成や使用状況に応じて適宜設定される。
【００５０】
給湯バーナ３１が全面燃焼状態であるときにはＳＴＥＰ２０に分岐し、燃焼制御部６１は、ガス流量変更弁５１の目標開度Ｐｃに所定増分ΔＰ１を加えた開度を、暖房バーナ４１の点火処理における目標開度Ｐｃ’（＝Ｐｃ＋ΔＰ１）としてＳＴＥＰ６に処理を進める。
【００５１】
一方、給湯バーナ３１が全面燃焼状態でないときにはＳＴＥＰ５に進み、燃焼制御部６１は、ガス流量変更弁５１の目標開度Ｐｃに所定増分ΔＰ２を加えた開度を、暖房バーナ４１の点火処理における目標開度Ｐｃ’（＝Ｐｃ＋ΔＰ２）としてＳＴＥＰ６に処理を進める。
【００５２】
ＳＴＥＰ６で、燃焼制御部６１は、ガス流量変更弁５１の開度を目標開度Ｐｃ’に制御して暖房バーナ４１の点火処理を実行する。このように、ガス流量変更弁５１の開度を本来の目標開度Ｐｃよりも大きい目標開度Ｐｃ’として燃料ガスの供給流量を増加させることにより、暖房バーナ４１に対する燃料ガスと燃焼用空気の供給状態を、ガスリッチ状態にすることができる。
【００５３】
そして、このようにガスリッチ状態として暖房バーナ４１の点火処理を行うことにより、暖房バーナ４１の点火を安定させて行うことができるが、ガスリッチの度合が大きくなるに従って、点火処理において暖房バーナ４１から異常音が生じる可能性が高くなる。
【００５４】
また、缶体２０内に給湯バーナ３１と暖房バーナ４１が設けられて、給排気ファン５０により缶体２０内に燃焼用空気が供給される熱源装置１の特性として、給湯バーナ３１の燃焼面における燃焼範囲の割合が大きいほど、暖房バーナ４１側における内圧が高くなって、暖房バーナ４１への燃焼用空気の供給が妨げられる。そのため、給排気ファン５０の回転速度を目標回転速度Ｖｃに制御すると共に、ガス流量変更弁５１の開度を目標開度Ｐｃに制御しても、暖房バーナ４１においてガスリッチ傾向になる。
【００５５】
そこで、燃焼制御部６１は、給湯バーナ３１の燃焼面における燃焼範囲の割合が１００％であるときのガス流量変更弁５１の目標開度の増分（ΔＰ１）を、この割合が１００％未満であるときの増分（ΔＰ２）よりも小さく設定して、暖房バーナ４１の点火処理を実行する。これにより、暖房バーナ４１におけるガスリッチの度合が過剰になることを防止して、暖房バーナ４１からの異常音の発生を抑制することができる。
【００５６】
続くＳＴＥＰ７で、燃焼制御部６１は、所定時間（暖房バーナ４１の点火が終了して、暖房バーナ４１の燃焼状態が安定し、暖房バーナ４１から異常音が生じるおそれが無くなる時間を想定して設定される）が経過するのを待ってＳＴＥＰ８に処理を進め、ガス流量変更弁５１の目標開度を本来の目標開度Ｐｃに戻して、点火対応処理を終了する。
【００５７】
ＳＴＥＰ３で、燃焼制御部６１は、目標燃焼量に対応した給排気ファン５０の目標回転速度Ｖｃとガス流量変更弁５１の目標開度Ｐｃを決定して、ＳＴＥＰ４に処理を進めるが、この後、給排気ファン５０の目標回転速度Ｖｃを調整して、暖房バーナ４１の点火処理を実行するようにしてもよい。
【００５８】
具体的には、給湯バーナ３１が全面燃焼状態であるときには、燃焼制御部６１は、給排気ファン５０の目標回転速度Ｖｃから所定減分ΔＶｃ１を減じた回転速度を、暖房バーナ４１の点火処理における目標回転速度Ｖｃ’（＝Ｖｃ−ΔＶｃ１）として次の処理（目標回転速度Ｖｃ’として、暖房バーナ４１を点火）を進める。
【００５９】
一方、給湯バーナ３１が全面燃焼状態でないときには、燃焼制御部６１は、給排気ファン５０の目標回転速度Ｖｃから所定減分ΔＶｃ２を減じた回転速度を、暖房バーナ４１の点火処理における目標回転速度Ｖｃ’（＝Ｖｃ−ΔＶｃ２）として次の処理（目標回転速度Ｖｃ’として、暖房バーナ４１を点火）を進める。
【００６０】
燃焼制御部６１は、給湯バーナ３１の燃焼面における燃焼範囲の割合が１００％であるときの給排気ファン５０の目標回転速度Ｖｃの減分（ΔＶｃ１）を、この割合が１００％未満であるときの減分（ΔＶｃ２）よりも小さく設定して、暖房バーナ４１の点火処理を実行する。これによっても、暖房バーナ４１におけるガスリッチの度合が過剰になることを防止して、暖房バーナ４１からの異常音の発生を抑制することができる。
【００６１】
ここで、図３Ａは、給湯バーナ３１の燃焼面における燃焼範囲の割合が１００％（全面燃焼状態）であるときに、暖房バーナ４１の点火処理を行った場合（図２のＳＴＥＰ２０の処理により、ガス流量変更弁５１の目標開度をΔＰ１増加させて点火処理を行った場合）を示しており、暖房バーナ４１の大バーナ４１ａが燃焼状態に移行する際に、異常音が発生することが抑制される。
【００６２】
また、図３Ｂは、給湯バーナ３１の燃焼面における燃焼範囲の割合が約５０％であるとき（中バーナ３１ｂ及び小バーナ３１ｃが燃焼状態、且つ大バーナ３１ａが消火状態であり、個別バーナの総本数１７本のうち、８本が燃焼状態であるとき）に、暖房バーナ４１の点火処理を行った場合（図２のＳＴＥＰ５の処理により、ガス流量変更弁５１の目標開度をΔＰ２（＞ΔＰ１）増加させて点火処理を行った場合）を示しており、暖房バーナ４１の大バーナ４１ａが燃焼状態に移行する際には、異常音が生じない。
【００６３】
「３．火移り対応処理」
次に、図４に示したフローチャートに従って、燃焼制御部６１により実行される暖房バーナ４１の燃焼範囲の拡大（火移り）時に生じ得る異常音（共鳴音）を抑制するための処理（火移り対応処理）について説明する。
【００６４】
燃焼制御部６１は、図４のＳＴＥＰ５０で、給湯バーナ３１と暖房バーナ４１が共に燃焼状態であるか否かを判断し、両バーナが共に燃焼状態であるときにＳＴＥＰ５１に処理を進めて、暖房バーナ４１における火移りを伴う目標燃焼量の増大の有無を判断する。
【００６５】
そして、暖房バーナ４１における火移りを伴う目標燃焼量の増大があったときにＳＴＥＰ５２に進み、燃焼制御部６１は、目標燃焼量（給湯バーナ３１の目標燃焼量及び暖房バーナ４１の目標燃焼量）に対応した給排気ファン５０の目標回転速度Ｖｃとガス流量変更弁５１の目標開度Ｐｃとを決定して、ＳＴＥＰ５３に処理を進める。
【００６６】
ＳＴＥＰ５３で、燃焼制御部６１は、給湯バーナ３１が全面燃焼状態（大バーナ３１ａと中バーナ３１ｂと小バーナ３１ｃとが、全て燃焼状態）であるか否かを判断する。ここで、全面燃焼状態は、給湯バーナ３１の燃焼面における燃焼範囲の割合が１００％となっている状態であり、１００％は本発明の所定割合に相当する。なお、この所定割合は、燃焼装置の構成や使用状況等に応じて適宜設定される。
【００６７】
給湯バーナ３１が全面燃焼状態であるときにはＳＴＥＰ６０に分岐し、燃焼制御部６１は、ガス流量変更弁５１の目標開度Ｐｃに所定増分ΔＰ３を加えた開度を、暖房バーナ４１の火移り処理における目標開度Ｐｃ’（＝Ｐｃ＋ΔＰ３）としてＳＴＥＰ５５に処理を進める。
【００６８】
一方、給湯バーナ３１が全面燃焼状態でないときにはＳＴＥＰ５４に進み、燃焼制御部６１は、ガス流量変更弁５１の目標開度Ｐｃに所定増分ΔＰ４を加えた開度を、暖房バーナ４１の火移り処理における目標開度Ｐｃ’（＝Ｐｃ＋ΔＰ４）としてＳＴＥＰ５５に処理を進める。
【００６９】
ＳＴＥＰ５５で、燃焼制御部６１は、ガス流量変更弁５１の開度を目標開度Ｐｃ’に制御して暖房バーナ４１の火移り処理を実行する。このように、ガス流量変更弁５１の開度を本来の目標開度Ｐｃよりも大きい目標開度Ｐｃ’とすることで、暖房バーナ４１に対する燃料ガスと燃焼用空気の供給を、ガスリッチ状態にすることができる。
【００７０】
そして、このようにガスリッチ状態として暖房バーナ４１の火移り処理を行うことにより、暖房バーナ４１の火移りを安定させて行うことができるが、ガスリッチの度合が大きくなるに従って、火移り処理において暖房バーナ４１から異常音が生じる可能性が高くなる。
【００７１】
また、上述したように、給湯バーナ３１の燃焼面における燃焼範囲の割合が大きいほど、暖房バーナ４１側における内圧が高くなって、暖房バーナ４１への燃焼用空気の供給が妨げられる。そのため、給排気ファン５０の目標回転速度をＶｃに制御すると共に、ガス流量変更弁５１の開度を目標開度Ｐｃに制御しても、暖房バーナ４１においてガスリッチ傾向になる。
【００７２】
そこで、燃焼制御部６１は、給湯バーナ３１の燃焼面における燃焼範囲の割合が１００％であるときのガス流量変更弁５１の目標開度の増分（ΔＰ３）を、この割合が１００％未満であるときの増分（ΔＰ４）よりも小さく設定して、暖房バーナ４１の火移り処理を実行する。これにより、暖房バーナ４１におけるガスリッチの度合が過剰になり過ぎることを防止して、暖房バーナ４１から異常音が発生することを防止することができる。
【００７３】
続くＳＴＥＰ５６で、燃焼制御部６１は、所定時間（暖房バーナ４１の火移りが終了して、暖房バーナ４１の燃焼状態が安定し、暖房バーナ４１から異常音が生じるおそれが無くなる時間を想定して設定される）が経過するのを待ってＳＴＥＰ５７に処理を進め、ガス流量変更弁５１の目標開度を本来の目標開度Ｐｃに戻して、火移り対応処理を終了する。
【００７４】
ＳＴＥＰ５３で、燃焼制御部６１は、目標燃焼量に対応した給排気ファン５０の目標回転速度Ｖｃとガス流量変更弁５１の目標開度Ｐｃとを決定して、ＳＴＥＰ５３に処理を進めるが、この後、給排気ファン５０の目標回転速度Ｖｃを調整して、暖房バーナ４１の火移り処理を実行するようにしてもよい。
【００７５】
具体的には、給湯バーナ３１が全面燃焼状態であるときには、燃焼制御部６１は、給排気ファン５０の目標回転速度Ｖｃから所定減分ΔＶｃ３を減じた回転速度を、暖房バーナ４１の火移り処理における目標回転速度Ｖｃ’（＝Ｖｃ−ΔＶｃ３）として次の処理（目標回転速度Ｖｃ’として、暖房バーナ４１の火移り）を進める。
【００７６】
一方、給湯バーナ３１が全面燃焼状態でないときには、燃焼制御部６１は、給排気ファン５０の目標回転速度Ｖｃから所定減分ΔＶｃ４を減じた回転速度を、暖房バーナ４１の火移り処理における目標回転速度Ｖｃ’（＝Ｖｃ−ΔＶｃ４）として次の処理（目標回転速度Ｖｃ’として、暖房バーナ４１の火移り）を進める。
【００７７】
燃焼制御部６１は、給湯バーナ３１の燃焼面における燃焼範囲の割合が１００％であるときの給排気ファン５０の目標回転速度Ｖｃの減分（ΔＶｃ３）を、この割合が１００％未満であるときの減分（ΔＶｃ４）よりも小さく設定して、暖房バーナ４１の火移り処理を実行する。これによっても、暖房バーナ４１におけるガスリッチの度合が過剰になり過ぎることを防止して、暖房バーナ４１から異常音が発生することを防止することができる。
【００７８】
ここで、図５Ａ，図５Ｂは、給湯バーナ３１の燃焼面における燃焼範囲の割合が１００％（全面燃焼状態）であるときに、暖房バーナ４１の火移り処理を行った場合（図４のＳＴＥＰ６０の処理により、ガス流量変更弁５１の目標開度をΔＰ３増加させて火移り処理を行った場合）を示している。図５Ａでは、暖房バーナ４１の燃焼範囲が、小バーナ４１ｂのみが燃焼した状態から小バーナ４１ｂ及び大バーナ４１ａが共に燃焼した状態へと火移りさせる際に、異常音が生じることが抑制される。図５Ｂでは、暖房バーナ４１の燃焼範囲が、大バーナ４１ａのみが燃焼した状態から小バーナ４１ｂ及び大バーナ４１ａが共に燃焼した状態へと火移りさせる際に、異常音が生じることが抑制される。
【００７９】
また、図５Ｃ，図５Ｄは、給湯バーナ３１の燃焼面における燃焼範囲の割合が約５０％であるとき（中バーナ３１ｂ及び小バーナ３１ｃが燃焼状態、且つ大バーナ３１ａが消火状態であり、個別バーナの総本数１７本のうち８本が燃焼状態であるとき）に、暖房バーナ４１の火移り処理を行った場合（図４のＳＴＥＰ５４の処理により、ガス流量変更弁５１の目標開度をΔＰ４（＞ΔＰ３）増加させて火移り処理を行った場合）を示している。図５Ｃでは、暖房バーナ４１の燃焼範囲が、小バーナ４１ｂのみが燃焼した状態から小バーナ４１ｂ及び大バーナ４１ａが共に燃焼した状態へと火移りさせる際には、異常音が生じない。図５Ｄでは、暖房バーナ４１の燃焼範囲が、大バーナ４１ａのみが燃焼した状態から小バーナ４１ｂ及び大バーナ４１ａが共に燃焼した状態へと火移りさせる際には、異常音が生じない。
【００８０】
また、図４のフローチャートでは、暖房バーナ４１の火移りを対象としているが、給湯バーナ３１の火移りを行う場合も、同様の処理により対応することができる。図６Ａ〜図６Ｃは、暖房バーナ４１が全面燃焼状態（大バーナ４１ａ及び小バーナ４１ｂが共に燃焼した状態）であるときに、給湯バーナ３１の火移りを行う場合を示している。
【００８１】
図６Ａでは、給湯バーナ３１の大バーナ３１ａと小バーナ３１ｃのみが燃焼した状態から大バーナ３１ａ，中バーナ３１ｂ，及び小バーナ３１ｃが全て燃焼した状態へと火移りさせる際に、異常音が生じることが抑制される。図６Ｂでは、給湯バーナ３１の中バーナ３１ｂと小バーナ３１ｃのみが燃焼した状態から大バーナ３１ａ，中バーナ３１ｂ，及び小バーナ３１ｃが全て燃焼した状態へと火移りさせる際に、異常音が生じることが抑制される。図６Ｃでは、給湯バーナ３１の小バーナ３１ｃのみが燃焼した状態から大バーナ３１ａ，中バーナ３１ｂ，及び小バーナ３１ｃが全て燃焼した状態へと火移りさせる際に、異常音が生じることが抑制される。
【００８２】
［４．他の実施形態］
図２のフローチャートによる処理では、燃焼制御部６１は、給湯バーナ３１の燃焼面における燃焼範囲の割合が所定割合（図２では１００％）以上であるか否かにより、暖房バーナ４１の点火処理におけるガス流量変更弁５１の目標開度の増分を切り替えるようにしたが、さらに、給湯バーナ３１の燃焼面における燃焼範囲の割合が大きいほど、ガス流量変更弁５１の目標開度の増分を少なくするようにしてもよい。
【００８３】
また、燃焼制御部６１は、給湯バーナ３１の燃焼面における燃焼範囲の割合が所定割合以上であるか否かにより、暖房バーナ４１の点火処理における給排気ファン５０の目標回転速度の減分を切り替えるようにしてもよく、給湯バーナ３１の燃焼面における燃焼範囲の割合が大きいほど、給排気ファン５０の目標回転速度の減分を少なくするようにするとさらによい。
【００８４】
図４のフローチャートによる処理では、燃焼制御部６１は、給湯バーナ３１の燃焼面における燃焼範囲の割合が所定割合（図４では１００％）以上であるか否かにより、暖房バーナ４１の火移り処理におけるガス流量変更弁５１の目標開度の増分を切り替えるようにしたが、給湯バーナ３１の燃焼面における燃焼範囲の割合が大きいほど、ガス流量変更弁５１の目標開度の増分を少なくするようにしてもよい。さらに、給湯バーナ３１及び暖房バーナ４１の総燃焼面における火移りにより拡大された燃焼範囲（火移りが完了した時点での燃焼範囲）の割合が大きいほど、ガス流量変更弁５１の目標開度の増分を少なくするようにしてもよい。
【００８５】
また、燃焼制御部６１は、給湯バーナ３１の燃焼面における燃焼範囲の割合が所定割合以上であるか否かにより、暖房バーナ４１の火移り処理における給排気ファン５０の目標回転速度の減分を切り替えるようにしてもよく、給湯バーナ３１の燃焼面における燃焼範囲の割合が大きいほど、給排気ファン５０の目標回転速度の減分を少なくするようにするとさらによい。給湯バーナ３１及び暖房バーナ４１の総燃焼面における火移りにより拡大された燃焼範囲の割合が大きいほど、給排気ファン５０の目標回転速度の減分を少なくするようにしてもよい。
【００８６】
なお、給湯バーナ３１及び暖房バーナ４１の総燃焼面における燃焼範囲の割合が所定範囲以上であるか否かにより、暖房バーナ４１の火移り処理におけるガス流量変更弁５１の目標開度の増分を切り替えるようにしてもよい。また、給湯バーナ３１及び暖房バーナ４１の総燃焼面における燃焼範囲の割合が所定範囲以上であるか否かにより、暖房バーナ４１の火移り処理における給排気ファン５０の目標回転速度の減分を切り替えるようにしてもよい。
【００８７】
上記実施形態では、給湯バーナ３１を本発明の第１バーナとし、暖房バーナ４１を本発明の第２バーナとしたが、逆に給湯バーナ３１を本発明の第２バーナとし、暖房バーナ４１を本発明の第１バーナとしてもよい。
【００８８】
また、上記実施形態では、本発明の燃焼装置として複合型の熱源装置１を示したが、本発明の燃焼装置の種類は熱源装置に限られず、種々の燃焼装置に対して本発明の適用が可能である。バーナの種類についても、給湯用或は暖房用に限定されず、例えば浴槽内の湯水の追焚きに使用される追焚き用バーナ等の他の用途に使用されるバーナであってもよい。
【００８９】
本発明の燃焼装置の構成に限らず、一方の缶体に配置された第１バーナと、他方の缶体に配置された第２バーナとを備え、各バーナの燃焼排ガスを１つの排気通路を介して排出する構成であっても、本発明と同様の効果が得られる。
【００９０】
また、上記実施形態では、１台の給排気ファン５０により給湯バーナ３１及び暖房バーナ４１への燃焼用空気の供給を行ったが、給湯バーナ３１と暖房バーナ４１への燃焼用空気の供給を、個別に設けた給排気ファンにより行ってもよい。
【００９１】
また、上記実施形態では、１個のガス流量変更弁５１により給湯バーナ３１及び暖房バーナ４１への燃料ガスの供給流量を変更したが、給湯バーナ３１と暖房バーナ４１への燃料ガスの供給流量の変更を、個別に設けたガス流量変更弁により行ってもよい。
【符号の説明】
【００９２】
１…熱源装置（燃焼装置）、１０…（熱源装置の）筐体、１１…集合排気管、２０…缶体、３１…給湯バーナ（第１バーナ）、４１…暖房バーナ（第２バーナ）、５０…給排気ファン、５１…ガス流量変更弁、６０…コントローラ、６１…燃焼制御部、７０…リモコン。
【図１】
2018146160.tif 000003
【図２】
2018146160.tif 000004
【図３】
2018146160.tif 000005
【図４】
2018146160.tif 000006
【図５】
2018146160.tif 000007
【図６】
2018146160.tif 000008